(57)【要約】【課題】  従来のコイルボビンでは、ピン端子とコア部材との間が極めて近いため、両者間に十分な絶縁距離を確保することが困難であるという課題がある。【解決手段】  絶縁材料からなると共にＥ型コア３２の中心脚部３４が挿入される脚挿入穴２ａを有する巻芯部２と、絶縁材料からなると共に巻芯部２の脚挿入穴２ａの中心脚部３４の挿入側と反対側に設けられた第２の鍔部４と、第２の鍔部４に設けられると共に巻芯部２に装着されるコイルが接続される複数の端子ピン５Ａ，５Ｂと、を備えたコイルボビンである。第２の鍔部４には、Ｉ型コア３１が収納されると共にその収納時にＩ型コア３１が巻芯部２に装着されたＥ型コア３２と接続されるコア収納部１８を設け、このコア収納部１８のＩ型コア３１の挿入側と反対側にＩ型コア３１の位置決めをなす位置決め部１６ａを設けた。【選択図】  図５
2006294872.tif 000002
【特許請求の範囲】
【請求項１】
絶縁材料からなると共にＥ型コアの中心脚部が挿入される脚挿入穴を有する巻芯部と、
絶縁材料からなると共に前記巻芯部の前記脚挿入穴の前記中心脚部の挿入側と反対側に設けられた鍔部と、
前記鍔部に設けられると共に前記巻芯部に装着されるコイルが接続される複数の端子ピンと、を備え、
前記鍔部には、Ｉ型コアが収納されると共に当該収納時に当該Ｉ型コアが前記巻芯部に装着された前記Ｅ型コアと接続されるコア収納部を設け、当該コア収納部の前記Ｉ型コアの挿入側と反対側に当該Ｉ型コアの位置決めをなす位置決め部を設けたことを特徴とするコイルボビン。
【請求項２】
前記コア収納部は、前記Ｉ型コアが挿入されるコアガイド溝と、当該コアガイド溝の前記Ｅ型コアが配置される側と反対側の略全面を覆うカバー部とからなり、当該カバー部の前記コアガイド溝の両側に当該ガイド溝に沿って前記複数の端子ピンを配置したことを特徴とする請求項１記載のコイルボビン。
【請求項３】
筒状に形成された巻芯部と、当該巻芯部の軸方向の一端に設けられた鍔部と、当該鍔部に設けられた複数の端子ピンと、を有する絶縁材料により形成されたコイルボビンと、
前記コイルボビンに取り付けられるコア部材と、
前記巻芯部に装着されると共に前記複数の端子ピンに接続されるコイルと、を備え、
前記コア部材は、前記巻芯部の穴に中心脚部が挿入されるＥ型コアと、前記鍔部に設けたコア収納部に収納されると共に当該Ｉ型コアの収納時に前記Ｅ型コアと接続されるＩ型コアと、からなり、前記コア収納部の前記Ｉ型コアの挿入側と反対側に当該Ｉ型コアの位置決めをなす位置決め部を設けたことを特徴とするコイルボビンを用いた電気機器。
【請求項４】
前記コイルが、一次側コイルと二次側コイルとからなるトランスであることを特徴とする請求項３記載のコイルボビンを用いた電気機器。
【請求項５】
前記コイルが、特定の周波数以上の高周波電流を阻止するためのインダクタンス要素からなるチョークコイルであることを特徴とする請求項３記載のコイルボビンを用いた電気機器。
【請求項６】
前記電気機器は、前記コイルボビンと、前記コイルと、これらに接続されると共にノイズ除去効果を有する電子部品との組み合わせからなるノイズフィルタであることを特徴とする請求項３記載のコイルボビンを用いた電気機器。
【発明の詳細な説明】
【技術分野】
【０００１】
本発明は、Ｅ型コアとＩ型コアによって閉磁路を形成するコア部材が装着されるコイルボビン及び、そのコイルボビンを用いた電気機器に関する。
【背景技術】
【０００２】
従来の、この種のコイルボビンとしては、例えば、特許文献１に記載されているようなものがある。特許文献１には、ＥＥ形またはＥＩ形磁気コアを縦方向に置いて装着されるトランスホーマ用コイルボビンに関するものが記載されている。この特許文献１に記載されたコイルボビンは、「Ｅ形磁気コアの中心脚が挿入される巻芯と、その上端より張り出した鍔と下端より張り出し下方にピン端子を突出埋設する下端鍔とを絶縁材にて成型してなるコイルボビンにおいて、前記下端鍔を巻芯の開口縁に沿って平行に延伸し前記Ｅ形磁気コアの両外脚が挿入される窓部を貫設するとともに、周縁に沿って複数個の前記ピン端子を突出埋設してなる」ことを特徴としている。
【０００３】
このような構成を有するコイルボビンによれば、「ピン端子が多く回路のコイルのリード線の引き出し接続を容易にし、また磁気コアの挿入が容易で工数の削減ができる」という効果が期待される。
【０００４】
このような構成を有する従来のコイルボビンの例を図６及び図７に示す。このコイルボビン２１は、筒状の巻芯部２２と、巻芯部２２の両端に設けられた第１の鍔部２３及び第２の鍔部２４と、第２の鍔部２４に設けられた複数の端子ピン２５等から構成されている。このような構成を有するコイルボビン１に対して、図８〜図１０に示すように、巻芯部２２の穴にＥ型コア２８の中心脚部２９が挿入されると共に、第２の鍔部２４にＩ型コア２７が配設されている。そして、これらＩ型コア２７とＥ型コア２８の互いに接する部分を接着剤等で固着することにより、トランス等の電気機器が構成されている。
【０００５】
しかしながら、このような構成を有するコイルボビン２１においては、端子ピン２５とＩ型コア２７との間に十分な絶縁距離を確保することが困難であるという問題があった。即ち、Ｉ型コア２７が第２の鍔部２４の複数の端子ピン２５側に露出されていて、この露出されたＩ型コア２７と複数の端子ピン２５との間が極めて近い構成となっていた。そのため、複数の端子ピンが、Ｉ型コア２７の磁力の影響を受け易い構造となっていたことから、当初の性能を得ることができず、性能の低下を招いているという問題があった。
【０００６】
また、第２の鍔部２４に配設されたＩ型コア２７は、その長手方向に対する移動が制限されないため、Ｉ型コア２７とＥ型コア２８とを接着剤等で固着する際に、Ｉ型コア２７がズレた状態で固着されてしまうおそれがあり、インダクタンスが規格から外れてしまう（インダクタンスが規格の値にならない）という問題や、リーケージフラックスの発生量が大きくなり、漏れ出した磁束が他の回路部分に悪影響を与えるおそれがあるという問題もあった。
【０００７】
このようなコイルボビン２１の複数の端子ピン２５とＩ型コア２７との絶縁距離を確保する対策としては、例えば、図１１に示すように、第２の鍔部２４の複数の端子ピン２５側（図１１において左側）を巻芯部２２の軸方向と直交する方向に延在させたり、図１２に示すように、第２の鍔部２４を巻芯部２２の軸方向に延在させて、複数の端子ピン２５とＩ型コア２７との間隔を広げることが考えられる。しかしながら、上述した対策ではコイルボビン２１が大型化してしまい、近年のコイル部品の小型化、低背化（薄型化）の要求を満たすことができないという問題が生じた。
【特許文献１】実開昭６２−４４４２４号公報
【発明の開示】
【発明が解決しようとする課題】
【０００８】
解決しようとする問題点は、ピン端子とコア部材との間隔が狭く、両者間に十分な絶縁距離を確保することが困難であるという点である。
【課題を解決するための手段】
【０００９】
本出願のコイルボビンは、絶縁材料からなると共にＥ型コアの中心脚部が挿入される脚挿入穴を有する巻芯部と、絶縁材料からなると共に巻芯部の脚挿入穴の中心脚部の挿入側と反対側に設けられた鍔部と、鍔部に設けられると共に巻芯部に装着されるコイルが接続される複数の端子ピンと、を備え、鍔部には、Ｉ型コアが収納されると共にその収納時にＩ型コアが巻芯部に装着されたＥ型コアと接続されるコア収納部を設け、このコア収納部のＩ型コアの挿入側と反対側にＩ型コアの位置決めをなす位置決め部を設けたことを最も主要な特徴とする。
【発明の効果】
【００１０】
本出願のコイルボビンによれば、絶縁材料からなる鍔部に複数の端子ピンを設けると共にＩ型コアが収納されるコア収納部を設け、Ｉ型コアがコア収納部に収納された状態でＥ型コアと接続する構成としたため、鍔部のコア収納部によってＩ型コアのピン端子側の面を覆い、Ｉ型コアとピン端子との間に十分な絶縁距離を確保することができる。しかも、コア収納部のＩ型コアの挿入側と反対側にＩ型コアの位置決めをなす位置決め部を設けたことにより、Ｉ型コアを簡単にコア収納部内の所定の位置に配置することができ、Ｉ型コアとＥ型コアがズレた状態で固着されることを防止することができる。
【発明を実施するための最良の形態】
【００１１】
ピン端子とＩ型コアとの間に十分な絶縁距離を確保することができると共に、Ｉ型コアとＥ型コアがズレた状態で固着されることを防止することができるコイルボビンを、簡単な構造によって実現した。
【００１２】
図１〜図５は、本発明のコイルボビンの実施の形態の例を示すものである。即ち、図１及び図２はコイルボビンの一実施例を示すもので、図１は上面側から見た斜視図、図２は底面側から見た斜視図、図３は図１のコイルボビンとこれに装着されるＩ型コア及びＥ型コアを説明するための説明図、図４は図１のコイルボビンにＩ型コア及びＥ型コアが装着された状態を上面側から見た斜視図、図５は同じく下面側から見た斜視図である。
【００１３】
図１及び図２に示すように、本発明の一実施例を示すコイルボビン１は、巻芯部２と、巻芯部２の一端（図１において上端）に設けられた第１の鍔部３と、巻芯部２の他端（図１において下端）に設けられた第２の鍔部４と、第２の鍔部４に設けられた複数の端子ピン５Ａ，５Ｂ等から構成されている。
【００１４】
コイルボビン１の巻芯部２は、角筒状をなしており、その軸穴が脚挿入穴２ａとされている。この脚挿入穴２ａには、後述するＥ型コア３２の中心脚部３４が挿入される。第１の鍔部３は、巻芯部２の脚挿入穴２ａの開口側から略垂直に展開されて、略四角形をなしている。この第１の鍔部３は、対向する２つの辺にそれぞれ連続して巻芯部２と反対側へ略垂直に延びる一対の側壁３ａ，３ａを有している。第１の鍔部３の一対の側壁３ａ，３ａは、巻芯部２の脚挿入穴２ａにＥ型コア３２の中心脚部３４が挿入された状態において、そのＥ型コア３２の位置決めをなす役割を持っている。
【００１５】
第２の鍔部４は、全体として扁平の直方体状に形成されており、後述するＩ型コア３１が挿入されるコアガイド溝１１と、このコアガイド溝１１の両側に設けられた第１及び第２の端子取付部１２，１３と、これら第１及び第２の端子取付部１２，１３に連続するカバー部１６等を有している。
【００１６】
第２の鍔部４のコアガイド溝１１は、Ｉ型コア３１に見合った大きさのコ字状の壁面で囲うように形成されており、第２の鍔部４の一面側から他面側に貫通している。このコアガイド溝１１の第２の鍔部４を貫通する方向がＩ型コア３１を挿入する方向とされている。コアガイド溝１１のＩ型コア３１を挿入する方向の両端部には、巻芯部２側に所定の大きさの切欠き１１ａ，１１ａが設けられている。これらの切欠き１１ａ，１１ａには、Ｅ型コア３２の両端の外脚部３５，３５の先端がそれぞれ係合される。
【００１７】
第１及び第２の端子取付部１２，１３は、コアガイド溝１１のＩ型コア３１を挿入する方向と交差する方向の両側にそれぞれコアガイド溝１１と反対側に突出するように形成されている。図２等に示すように、第１の端子取付部１２のコアガイド溝１１と反対側の面には、長手方向の略中央部に所定の間隔をあけて巻芯部２の軸方向と平行に延びる２つの縦溝１２ａ，１２ａが設けられている。更に、第１の端子取付部１２の巻芯部２と反対側の面には、長手方向に所定の間隔をあけて巻芯部２の軸方向に延びる２本の端子ピン５Ａが取り付けられている。
【００１８】
第２の端子取付部１３のコアガイド溝１１と反対側の面には、長手方向に等間隔をおいて複数の凹部１４（本実施例では４つ）が設けられている。これにより、第２の端子取付部１３には、各凹部１４を挟むように複数の端子用凸部１５（本実施例では５つ）が形成されている。そして、各端子用凸部１５の巻芯部２と反対側の面には、巻芯部２の軸方向に延びる端子ピン５Ｂ（本実施例では５本）がそれぞれ取り付けられている。
【００１９】
カバー部１６は、略四角形の板体をなしており、コアガイド溝１１の巻芯部２と反対側の略全面を覆っている。これにより、第２の鍔部４には、２つの開口部を有するコア収納部１８が形成されている。このコア収納部１８の２つの開口部のうち、一方の開口部には、コアガイド溝１１の幅方向の長さと同等な長さに設定された突条の位置決め部１６ａが設けられている。位置決め部１６ａには、コア収納部１８に収納したＩ型コア３１の端面が当接される。この位置決め部１６ａは、コア収納部１８におけるＩ型コア３１の位置決めをなすと共に、当該Ｉ型コア１８の脱落を防止する役割を持っている。即ち、コア収納部１８の他方の開口部がＩ型コア３１を挿入するためのコア挿入口１９とされ、一方の開口部はＩ型コア３１の通過を阻止する底部の役割を呈している。
【００２０】
このコイルボビン１を構成する巻芯部２と第１及び第２の鍔部３，４の材質としては、絶縁性を有する合成樹脂が好適であるが、その他にもセラミックス、絶縁性を有する金属（例えば絶縁材料で被覆された金属）等を用いることもできる。
【００２１】
図３〜図５に示すように、このような構成を有するコイルボビン１に対して、図８等で示したものと同様の構成を有するＩ型コア３１及びＥ型コア３２が装着される。Ｅ型コア３２は、四角形の板体からなる基板部３３と、基板部３３の一方の面の略中心部に連続して垂直に延びる中心脚部３４と、基板部３２の短辺の両側に連続して中心脚部３４と同じ方向に延びる一対の外脚部３５，３５から形成されている。また、Ｉ型コア３１は、Ｅ型コア３２の基板部３３と略同一の形状とされた四角形の板体をなしている。
【００２２】
Ｉ型コア３１及びＥ型コア３２は磁性材料によって形成されている。この磁性材料としては、例えば、フェライト磁性材料を挙げることができるが、金属磁性材料、磁性粉と各種熱可塑性樹脂を混合した複合磁性材料等を用いることもできる。
【００２３】
このような構成を有するＩ型コア３１及びＥ型コア３２は、例えば、次のようにしてコイルボビン１に簡単に組み立てることができる。まず、コイルボビン１の第２の鍔部４に設けたコア収納部１８にＩ型コア３１を挿入する。即ち、Ｉ型コア３１をコア収納部１８のコア挿入口１９から挿入し、Ｉ型コア３１の端面が位置決め部１６ａに当接するまでスライドさせる。このとき、コア収納部１８のコアガイド溝１１に設けた切欠き１１ａ，１１ａによってＩ型コア３１の挿入する方向の両端部が露出された状態となる。
【００２４】
次に、Ｅ型コア３２を第１の鍔部３側から組み込む。即ち、Ｅ型コア３２の中心脚部３４を巻芯部２の脚挿入穴２ａに挿入すると共に、コア収納部１８の切欠き１１ａ，１１ａによって露出されたＩ型コア３１の両端部にＥ型コア３２の一対の外脚部３５，３５を当接させて、接着剤等の固着手段により固定する。これにより、Ｉ型コア３１とＥ型コア３２が閉磁路を形成した状態でコイルボビン１に装着される。この状態を示す図が、図４及び図５である。これにより、Ｉ型コア３１及びＥ型コア３２の装着作業が完了する。なお、Ｅ型コア３２を先に組み付け、その後、Ｉ型コア３１を組み付けるようにしてもよいことは勿論である。
【００２５】
Ｉ型コア３１及びＥ型コア３２が装着されたコイルボビン１は、例えば、巻芯部２に一次コイルと二次コイルを装着して両コイルの端末部を所定の端子ピン５Ａ，５Ｂにそれぞれ絡げることにより、トランスとして構成することができる。また、このコイルボビン１は、トランスとしてだけではなく、例えば、特定の周波数以上の高周波電流を阻止するためのインダクタンス要素からなるチョークコイルとして構成することができる。更に、コイルボビン１と、コイルと、これらに接続されると共にノイズ除去効果を有する電子部品との組み合わせからなるノイズフィルタとして構成することもできる。このノイズ除去効果を有する電子部品としては、例えば、コンデンサや抵抗等を挙げることができる。
【００２６】
このような構成を有するコイルボビン１によれば、コア収納部１１をＩ型コア３１が挿入されるコアガイド溝１５と、このコアガイド溝１５のＥ型コア３２が配置される側と反対側の略全面を覆うカバー部１６とから構成したことにより、Ｉ型コア３１がカバー部１６によって支えられるため、Ｉ型コア３１の脱落を防止して信頼性の高いコイルボビンを提供することができる。
【００２７】
また、コイルボビン１は、Ｉ型コア３１及びＥ型コア３２を装着して組み立てた際に複数の端子ピン５Ａ，５ＢとＩ型コア３１との絶縁距離を大きくすると共に、Ｉ型コア３１の脱落及びＩ型コア３１の磁心ズレ防止構造を備えているため、信頼性の高いコイルボビンを提供でき且つ低背、小型化を実現することができる。
【００２８】
本発明は、前述しかつ図面に示した実施の形態に限定されるものではなく、その要旨を逸脱しない範囲内で種々の変形実施が可能である。例えば、前記実施例においては、コア収納部１８の位置決め部１６ａの形状をコアガイド溝１１の幅方向の長さと同等な長さの突条としたが、位置決め部１６ａは、所定部に設けた１又は２以上の突起であってもよく、Ｉ型コア３１の収納時においてそのＩ型コア３１の端面と当接して当該Ｉ型コアの移動を阻止して位置決め可能なものであれば、各種の形状のものを適用し得るものである。
【図面の簡単な説明】
【００２９】
【図１】本発明のコイルボビンの一実施例を上面側から見た斜視図である。
【図２】図１に示すコイルボビンを底面側から見た斜視図である。
【図３】図１に示すコイルボビンとこれに装着されるＩ型コア及びＥ型コアを説明するための説明図である。
【図４】図１に示すコイルボビンにＩ型コア及びＥ型コアを装着した組立状態を上面側から見た斜視図である。
【図５】図１に示すコイルボビンにＩ型コア及びＥ型コアを装着した組立状態を底面側から見た斜視図である。
【図６】従来のコイルボビンを上面側から見た斜視図である。
【図７】従来のコイルボビンを底面側から見た斜視図である。
【図８】従来のコイルボビンとこれに装着されるＩ型コア及びＥ型コアを説明するための説明図である。
【図９】従来のコイルボビンにＩ型コア及びＥ型コアを装着した組立状態を上面側から見た斜視図である。
【図１０】従来のコイルボビンにＩ型コア及びＥ型コアを装着した組立状態を底面側から見た斜視図である。
【図１１】従来のコイルボビンの問題点に対する対策として端子ピンとＩ型コアとの絶縁距離を確保する一例を説明する説明図である。
【図１２】従来のコイルボビンの問題点に対する対策として端子ピンとＩ型コアとの絶縁距離を確保する他の例を説明する説明図である。
【符号の説明】
【００３０】
１…コイルボビン、  ２…巻芯部、  ２ａ…脚挿入穴、  ３…第１の鍔部、  ４…第２の鍔部、  ５…端子ピン、  １１…コアガイド溝、  １２，１３…端子取付部、  １４…凹部、  １５…端子用凸部、  １６…カバー部、  １６ａ…位置決め部、  １８…コア収納部、  １９…コア挿入口、  ３１…Ｉ型コア、  ３２…Ｅ型コア、  ３３…基板部、  ３４…中心脚部、  ３５…外脚部
【図１】
2006294872.tif 000003
【図２】
2006294872.tif 000004
【図３】
2006294872.tif 000005
【図４】
2006294872.tif 000006
【図５】
2006294872.tif 000007
【図６】
2006294872.tif 000008
【図７】
2006294872.tif 000009
【図８】
2006294872.tif 000010
【図９】
2006294872.tif 000011
【図１０】
2006294872.tif 000012
【図１１】
2006294872.tif 000013
【図１２】
2006294872.tif 000014